(57)【要約】 【課題】  カメラの二次的機能の操作性を向上させること。特に「自分撮り」を確実に実行することができること。また二次的機能部が不用意に収納箱から出ないこと。さらに、二次的機能部を収納箱から容易に引き出すことができること。【解決手段】  本発明の携帯電話機は、側上面に表示画面２及び操作ボタンを有する本体側の筐体１Ａと、この筐体１Ａの裏側に一体に設けられ、かつ、側壁に横長開口６を有する薄型収納箱４Ａと、前記横長開口６を介して収納箱４Ａに出し入れ自在に設けられた二次的機能部１５Ａとを備え、前記二次的機能部１５Ａは、前記収納箱４Ａに内装したスライド連結手段２２を介して反転可能であることを特徴とする。【選択図】  図４
2006325114.tif 000002
【特許請求の範囲】
【請求項１】
一側上面に表示画面２を有する本体側の筐体１と、この筐体１の裏側に一体に設けられ、かつ、両側壁に横長開口５，６を有する薄型収納箱４と、前記一方側の横長開口５を介して収納箱４に出し入れ自在に設けられた操作部７と、一方、前記他方の横長開口６を介して収納箱４に出し入れ自在に設けられた二次的機能部１５とを備え、少なくとも前記二次的機能部１５は収納箱４に内装したスライド連結手段２２を介して反転可能であることを特徴とする携帯電話機。
【請求項２】
請求項１に於いて、二次的機能部１５を反転した場合、二次的機能部１５の一側上面には、ゲーム専用ボタン３６が設けられていることを特徴とする携帯電話機。
【請求項３】
請求項１、請求項２のいずれかに於いて、操作部７も収納箱４に内装したスライド連結手段２２を介して反転可能であり、該操作部７を反転した場合、一側上面には、ゲーム専用ボタン３６が設けられていることを特徴とする携帯電話機。
【請求項４】
請求項１に於いて、スライド連結手段２２に、筐体１の左右の内面に常時圧接する左右一対のスライド片３８ａを有する付勢手段３８を設けたことを特徴とする携帯電話機。
【請求項５】
一側上面に表示画面２及び操作ボタンを有する本体側の筐体１Ａと、この筐体１Ａの裏側に一体に設けられ、かつ、側壁に横長開口６を有する薄型収納箱４Ａと、前記横長開口６を介して収納箱４Ａに出し入れ自在に設けられた二次的機能部１５Ａとを備え、前記二次的機能部１５Ａは、前記収納箱４Ａに内装したスライド連結手段２２を介して反転可能であることを特徴とする携帯電話機。
【請求項６】
請求項５に於いて、二次的機能部１５Ａの一側上面には、カメラ機能用のレンズが設けられ、一方、裏面側には、ゲーム機能用の専用操作ボタンが設けられていることを特徴とする携帯電話機。
【請求項７】
一側上面に表示画面２を有する本体側の筐体１と、この筐体１の裏側に一体に設けられ、かつ、側壁に横長開口６を有する薄型収納箱４Ｂと、前記横長開口６を介して収納箱４Ｂに出し入れ自在に設けられた二次的機能部１５を備え、前記二次的機能部１５は、収納箱４Ｂに内装したスライド連結手段２２Ａを介して反転可能に設けられ、また、前記スライド連結手段２２Ａには、収納箱４Ｂの内壁を圧接状態でスライドする付勢手段３８を設けたことを特徴とする携帯電話機。
【請求項８】
一側上面に表示画面２を有する本体側の筐体１と、この筐体１の裏側に一体に設けられ、かつ、側壁に横長開口６を有する薄型収納箱４Ｃと、前記横長開口６を介して収納箱４Ｃに出し入れ自在に設けられた二次的機能部１５を備え、前記二次的機能部１５は、収納箱４Ｃに内装したスライド連結手段２２Ａを介して反転可能に設けられ、また、前記スライド連結手段２２Ａには、収納箱４Ｃの内壁を圧接状態でスライドする付勢手段３８を設け、さらに、収納箱４Ｃには、二次的機能部１５の収納時、付勢手段３８のスライド片３８ａを収納箱４Ｃの嵌合孔４５から外すための操作片４６を、その操作端４６ａが露呈或いは突出するように収納箱４Ｃの側壁に組込み、前記操作端４６ａをプッシュすると、収納箱４Ｃに内装した押しバネ４８のバネ力により、二次的機能部１５が所要量外方向へ突出することを特徴とする携帯電話機。
【請求項９】
請求項８に於いて、操作部７が、もう一つのスライド連結手段２２Ａを介して収納箱４に出し入れ自在に設けられていることを特徴とする携帯電話機。
【発明の詳細な説明】
【技術分野】
【０００１】
本発明は、カメラ機能を備える携帯電話機に関する。
【背景技術】
【０００２】
現在、携帯電話機に二次的機能が色々と付加されている。例えばカメラ機能を備える携帯電話機を用いれば、友人や自分の姿を静止画像または動画像として記録したり、その記録した画像を他の携帯電話機に送信したりすることができるため非常に便利である。
【０００３】
さて、特許文献１には、「一側面に操作ボタンを有する操作部と、該操作部に連結部材（ヒンジ構造）を介して一側面に表示画面を有する表示部を折り畳可能に連結した携帯電話機に於いて、前記表示部を、中心軸を介して回転可能にした携帯電話機」が記載されている。この特許文献１に記載の発明の目的は、携帯電話機の不使用時であっても、表示画面を外側に向けて折り畳むことができるようにし、好きな表示画面を常に見えるようにすることである。
【０００４】
しかして、前記連結部材に形成された中心軸は、円錐大径形状の頭部の端面から軸方向にスリットを有すると共に、材質自体により弾性変形及び弾性復帰する機能を有し、かつ、前記頭部は表示部を形成する筐体の内端部に形成した嵌合孔に嵌入する。中心軸の頭部は周壁に係合爪を有することから、折り畳みの時、表示部を１８０度反転しても、該表示部はから外れない。
【０００５】
このように、特許文献１の連結部材（ヒンジ構造）は、簡単、かつ、合理的であるとしても、その発明の目的は、好きな表示画面を常に見えるようにすることのみであるから、電話機の一次的機能（通信機能）以外の二次的機能（カメラ機能、ゲーム機能等）を十分に発揮させ得るものではない。
【０００６】
一方、特許文献２には、「一側上面に表示画面を有するマッチ箱形状の表示部と、該表示部にオス・メス案内手段を介して引き出し及び押し込み自在に設けられ、かつ、一側上面に操作ボタンを有するケース状の操作部とから成る箱型携帯電話機」が記載されている。特許文献２は、多少厚みがあるという欠点はあるものの、不使用時、テンキーなどのボタン式スイッチ群（操作ボタン）を有する操作部を押し込み、表示部を筐体内に収納することができるから、機械的破損の恐れがないという利点がある。しかし、特許文献２は、前記操作部を表示部の筐体から進退動させるだけであるから、特許文献１と同様に、二次的機能（カメラ機能、ゲーム機能等）を十分に発揮させ得るものではない。
【特許文献１】特開２００２−１７１３１９号公報
【特許文献２】特開２００５−６５２０５号公報
【発明の開示】
【発明が解決しようとする課題】
【０００７】
本発明の第１の目的は、カメラの二次的機能の操作性を向上させること。特に「自分撮り」を確実に実行することができること。第２の目的は、カメラの二次的機能の操作性の向上と共に、ゲーム機能の操作性の向上も同時に図ることができること。第３の目的は、収納箱に、少なくとも二次的機能部を収納した時、二次的機能部が不用意に収納箱から出ないこと。第４の目的は、収納箱に、少なくとも二次的機能部を収納した時、収納箱から二次的機能部を容易に引き出すことができることである。
【課題を解決するための手段】
【０００８】
本発明の携帯電話機は、一側上面に表示画面２を有する本体側の筐体１と、この筐体１の裏側に一体に設けられ、かつ、両側壁に横長開口５，６を有する薄型収納箱４と、前記一方側の横長開口５を介して収納箱４に出し入れ自在に設けられた操作部７と、一方、前記他方の横長開口６を介して収納箱４に出し入れ自在に設けられた二次的機能部１５とを備え、少なくとも前記二次的機能部１５は収納箱４に内装したスライド連結手段２２を介して反転可能であることを特徴とする。
【０００９】
また、本発明の携帯電話機は、一側上面に表示画面２及び操作ボタンを有する本体側の筐体１Ａと、この筐体１Ａの裏側に一体に設けられ、かつ、側壁に横長開口６を有する薄型収納箱４Ａと、前記横長開口６を介して収納箱４Ａに出し入れ自在に設けられた二次的機能部１５Ａとを備え、前記二次的機能部１５Ａは、前記収納箱４Ａに内装したスライド連結手段２２を介して反転可能であることを特徴とする。
【００１０】
また、本発明の携帯電話機は、一側上面に表示画面２を有する本体側の筐体１と、この筐体１の裏側に一体に設けられ、かつ、側壁に横長開口６を有する薄型収納箱４Ｂと、前記横長開口６を介して収納箱４Ｂに出し入れ自在に設けられた二次的機能部１５を備え、前記二次的機能部１５は、収納箱４Ｂに内装したスライド連結手段２２Ａを介して反転可能に設けられ、また、前記スライド連結手段２２Ａには、収納箱４Ｂの内壁を圧接状態でスライドする付勢手段３８を設けたことを特徴とする。
【００１１】
さらに、本発明の携帯電話機は一側上面に表示画面２を有する本体側の筐体１と、この筐体１の裏側に一体に設けられ、かつ、側壁に横長開口６を有する薄型収納箱４Ｃと、前記横長開口６を介して収納箱４Ｃに出し入れ自在に設けられた二次的機能部１５を備え、前記二次的機能部１５は、収納箱４Ｃに内装したスライド連結手段２２Ａを介して反転可能に設けられ、また、前記スライド連結手段２２Ａには、収納箱４Ｃの内壁を圧接状態でスライドする付勢手段３８を設け、さらに、収納箱４Ｃには、二次的機能部１５の収納時、付勢手段３８のスライド片３８ａを収納箱４Ｃの嵌合孔４５から外すための操作片４６を、その操作端４６ａが露呈或いは突出するように収納箱４Ｃの側壁に組込み、前記操作端４６ａをプッシュすると、収納箱４Ｃに内装した押しバネ４８のバネ力により、二次的機能部１５が所要量外方向へ突出することを特徴とする。
【発明の効果】
【００１２】
（１）請求項１、請求項５、請求項７及び請求項８に記載の発明は、カメラの二次的機能の操作性を向上させることができる。特に、二次的機能部１５は収納箱４に内装したスライド連結手段２２を介して反転可能なので、「自分撮り」を確実に実行することができる。
（２）請求項２、請求項３に記載の発明は、カメラの二次的機能の操作性の向上と共に、ゲーム機能の操作性の向上も同時に図ることができる。
（３）請求項４、請求項７に記載の発明は、スライド連結手段２２Ａに収納箱４Ｂの内壁を圧接状態でスライドする付勢手段３８を設けたので、少なくとも二次的機能部を収納した時、二次的機能部が不用意に収納箱から出ない。
（４）請求項８、請求項９に記載の発明は、収納箱に、少なくとも二次的機能部を収納した時、収納箱から操作端が露呈或いは突出する操作片をワンタッチ方式でプッシュすると、二次的機能部が収納部の横長開口から所要量外方向へ突出するので、指で二次的機能部を摘んで容易に引き出すことができる。
【発明を実施するための最良の形態】
【００１３】
図１乃至図１１に示す本発明を実施するための最良の形態（第１実施例）により説明する。図１は操作部及び二次的機能部を電話機本体の裏側に設けた収納箱にそれぞれ収納した状態の斜視図である。これに対して、図４は操作部及び二次的機能部を収納箱から引き出した状態の斜視図である。以下、本発明の特定要件について順次説明するが、細部的な事項は、図面及びその説明を割愛する。
【００１４】
（１）電話機Ｘの筐体１
Ｘは携帯電話機（以下、「電話機」という。）で、この電話機Ｘは、非折り畳み式であり、その外観形状は、長箱型である。電話機Ｘは、記憶部、制御部（画像制御部も含む）、入出力部等を備える薄型筐体（本体）１を有する。筐体１には、公知のように、一側上面に矩形状の表示画面２、メニュー選択用ファンキクションキー、その他のファンキクションキー等（以下、「本体操作ボタン３」という）が設けられている。筐体１は、薄型に形成され、また前記表示画面２は縦長のワイド画面である。
【００１５】
（２）収納箱４
次に、電話機Ｘは、前記筐体１の他に薄型収納箱４を有する。本実施例では、収納箱４は筐体１の裏側に一体に設けられている。この収納箱４は、筐体と同一或いは同様の大きさ、形状、厚みをしている。筐体１と収納箱４は、金属又は合成樹脂材でそれぞれ別個に形成され、かつ、適宜に合体（結合）されている。特に図示しないが、この収納箱４は、筐体１の裏側に合体する前（製作段階）に於いて、単数又は左右一対の枠状の支持ケースとして二分割されている。二分割の部品の場合には、枠状支持ケースの接合端面を適宜に合わせ、かつ、筐体１の裏側に固定手段を介して固定すると、図１で示すように、箱型の電話機Ｘの外観形状となる。もちろん、筐体１と収納箱４とを、予め「一体成形」しても良い。
【００１６】
（３）収納箱４の構造
さて、図２で示すように、収納箱４の右側壁側の側壁４ａには操作部用横長開口５が形成されている。一方、図３で示すように、収納箱４の左側壁側の側壁４ｂには二次的機能部用横長開口６が形成されている。
【００１７】
操作部用横長開口５とカメラ機能部用横長開口６は、左右対称であり、本実施例では、上向き凹所状の開口となっている。換言すると、これらの横長開口６は、筐体１の底面１ａの縁部（一辺）を含むことにより、横長矩形状の開口となっている。もちろん、横長開口６は、前記底面１ａの縁部を含まず、収納箱４の側壁４ａ，４ｂ自体に形成しても良い。本実施例では、電話機Ｘの収納箱４を極力薄型にするために、図２及び図３で示す構造を採用している。
【００１８】
また、収納箱４の横長開口５，６をそれぞれ形成する下方中央部には、半円状の切欠部４ｃ，４ｄがそれぞれ形成されている。これらの切欠部４ｃ，４ｄは、後述するスライド筐体の引き出しの容易化を図るためにある。
【００１９】
（４）操作部７の第１スライド筐体９
次に、７は一側上面に複数個の操作ボタン８を有する操作部で、この操作部７は筐体１よりも小型（薄型）の第１スライド筐体９を有し、該第１スライド筐体９は、収納箱４の操作部用横長開口５を介して出し入れ自在である。本実施例では、第１スライド筐体９の底面の外端部に指を引っ掛けるための小突起１０が形成されている。この小突起１０は、操作部７の収納時、前述した一方の切欠部４ｃ内に余裕を持って入り込む。したがって、第１スライド筐体９を引き出す時、例えば小突起１０に指、爪等を引っ掛けるようにすれば良い。もちろん、小突起１０に代えて、逆に切欠、小孔、溝等にしても良い。電話機Ｘの操作ボタン８の機能は、公知なので、詳細な説明を割愛する。
【００２０】
（５）二次的機能部１５の第２スライド筐体１７
次に、１５は一側上面の略中央にレンズ１６を有する二次的機能部１５で、この二次的機能部１５の第２スライド筐体１７も、前述した操作部７の第１スライド筐体９と同様に小型かつ扁平型に形成されている。二次的機能部１５は、本実施例では、一側上面にはカメラ用の操作ボタン、カメラ電源ＯＮ，ＯＦ用スイッチ等が設けられ（カメラ機能）、一方、反転した裏側の一側上面には、後述するゲーム用の操作ボタン、ゲーム電源ＯＮ，ＯＦ用スイッチ等が設けられている（ゲーム機能）。
【００２１】
第２スライド筐体１７は、収納箱４の二次的機能部用横長開口６を介して出し入れ自在である。本実施例では、図３で示すように、第２スライド筐体１７の底面の外端部に指を引っ掛けるための小突起１８（小突起１０と同じ）が形成されている。この小突起１８は、二次的機能部１５の収納時、前述した他方の切欠部４ｄ内に余裕を持って入り込む。  したがって、第２スライド筐体１７を引き出す時、例えば小突起１８に指、爪等を引っ掛けるようにすれば良い。もちろん、小突起１８に代えて、逆に切欠、小孔、溝等にしても良い。
【００２２】
ところで、二次的機能部１５のレンズ１６が存在する一側上面（操作者から見える壁面）には、右側にカメラ用の電源をＯＮ・ＯＦＦするスイッチボタン１９及びシャッターボタン２０が設けられ、一方、左側には、前記電源をＯＮにした後に使用可能である複数個のカメラ用ファンクションキー（以下、これを「カメラ操作ボタン２１」という）が設けられている。前記レンズ１６は、一側上面から突出しないように（傷を付けないように）、多少凹所内に位置するように設けられている。
【００２３】
カメラ機能については、公知なので、詳細な説明を割愛するが、本実施例では、記憶部、制御部等を内蔵する本体１は、スイッチボタン１９を押して電源をＯＮにすると、その表示画面２にレンズ１６でとらえた被写体Ｐを表示する機能を有している。また、二次的機能部１５は、シャッターボタン２０を軽く半押しすると、「ピントを合わせる機能」を有している。もちろん、図示しない本体１の記憶部は、二次的機能部１５でレンズ１６を介して取得した被写体情報を一時的に格納する機能を有し、また制御部は、前記被写体情報にアクセスして撮影した画像を表示画面２に表示（画面確認）する機能等を有する。ここでは、被写体情報を処理するデータ構造や処理の仕方は、本発明の限定要件ではないので、詳細な説明を割愛する。本発明では、レンズ１６を自分向けて、いわゆる「自分撮り」を確実に実行することができる。
【００２４】
（６）スライド筐体の回転構造
第１スライド筐体９及び第１スライド筐体１７は、収納箱４から完全に引き出した所で、左右一対のスライド連結手段２２の各中心軸２３を介してそれぞれ軸回りに反転する。
【００２５】
図５を基準にすると、下方に位置するスライド連結手段２２は、収納箱４内の下部側を、案内手段（縦方向のスリット２４、係合ピン２２ａ等）を介してスライドする。一方、上方に位置するスライド連結手段２２は、収納箱４内の上部側を、案内手段（縦方向のスリット２４、係合ピン２２ａ等）を介してスライドする。上下（図面によっては左右に位置する）のスライド連結手段２２は、所定寸法の長尺状の案内片であり、両端部には、収納箱４の横長開口５，６の左右内壁にそれぞれ形成したストッパー部分にそれぞれ係止される左右一対の係合ピン２２ａ，２２ａが設けられている。
【００２６】
また、前記中心軸２３には、クリックバネ２６がそれぞれ巻装されている。下方側のクリックバネ２６は、操作部７（筐体９）をスライド連結手段２２の外壁面側に常時付勢し、一方、上方のクリックバネ２６は、二次的機能部１５（筐体１７）をスライド連結手段２２の外壁面側に常時付勢する。したがって、本実施例では、各スライド連結手段２２の外壁面の左右に位置決の用小凹所（被係合部）３０を形成し、一方、これらの小凹所３０にそれぞれ交互に係脱する小突起（係合部）３１を筐体９，１７の対向面（内壁面）にそれぞれ設けている。
【００２７】
ところで、各中心軸２３は、筐体９，１７の対向面（内壁面）の中央部に形成した嵌合部（例えば嵌合小孔）にそれぞれ嵌入している。また、各中心軸２３は、円錐大径形状の頭部の端面から軸方向にスリットを有すると共に、材質自体により弾性変形及び弾性復帰する機能を有し、かつ、前記頭部は表示部を形成する各筐体９，１７の嵌合孔に嵌入すると、周壁に突出するように形成した係合爪が嵌合孔の周縁に係合することから、各スライド連結手段２２から容易に外れない。
【００２８】
（７）「カメラ機能」と「ゲーム機能」
図１０は、カメラ機能の場合の使用の一例を示す。図１０で示すように、電話機Ｘを「カメラ機能」として使用する場合には、少なくとも二次的機能部１５を引き出す。図１０では、二次的機能部１５及び操作部７の両方を引き出し、かつ、「自分撮り」をする場合の状態を示している（撮影後の確認の場合も同様）。
【００２９】
したがって、普通一般に被写体を撮る場合には、二次的機能部１５を指で摘んで「１８０度」反転させる。そして、反転した状態で視線方向の被写体Ｐを表示画面２で確認しながら、シャッター２０を押すことができる。
【００３０】
ところで、本発明では、反転する場合には、もう一つの理由がある。それは電話機Ｘを「ゲーム機能」として使用する場合である。この場合には、図１０で示すように、二次的機能部１５及び操作部７の両方をそれぞれ引き出し、かつ、それぞれ操作部７を指で摘んで「１８０度」反転させる。そうすると、図１１で示すように、二次的機能部１５及び操作部７のそれぞれの一側上面にゲーム用の操作ボタン、ゲーム用ＯＮ，ＯＦ電源スイッチ等が現れる。
【００３１】
しかして、３５は二次的機能部１５側に設けられたゲーム用電源ＯＮ，ＯＦスイッチで、この電源スイッチ３５は、本実施例ではカメラ用電源スイッチ１９とは別個・独立に設けられている。
【００３２】
また、３６はゲームを楽しむための操作ボタンで、本実施例では、二次的機能部１５及び操作部７のそれぞれに左右対称に設けられている。
【００３３】
ところで、電話機Ｘの制御部は、「カメラ機能」として使用する場合には表示画面２を縦型態様で、一方、ゲーム機として使用する場合には表示画面２を横型態様ですることができるように適宜に制御されている。表示画面２の制御方法は、本発明の限定要件ではないので、詳細な説明を省略するが、カメラ用電源スイッチ１９を「ＯＮ」の状態に操作すると「カメラ機能」となり、一方、ゲーム用電源スイッチ３５は「ＯＮ」の状態に操作すると「ゲーム機能」となる（切換え機能）。
【実施例】
【００３４】
発明の実施の形態で示した実施例（第１実施例）に於いて、操作部７を反転すること及び該操作部７の一側上面にゲーム専用操作ボタン３６が設けることは、本発明の必須要件ではない。何故ならば、ゲーム専用操作ボタン３６を筐体１の本体操作ボタン３又は／及び操作ボタン８に代用することができるからである。
【００３５】
本実施例では、電話機Ｘでゲームを楽しむ場合に於いて、操作性の向上、専用ボタンの付加、補助画面の付加等を図るためにゲーム専用ボタン３６を少なくとも二次的機能部１５に設けていれば良い。
【００３６】
次に、本発明の他の実施例について説明する。なお、他の実施例の説明にあたって、第１実施例と同一の構成部分には、同一又は同様の符号を付して重複する説明を省略する。
【００３７】
図１２乃至図１５を参照にして電話機Ｘ１の第２実施例を説明する。この第２実施例の電話機Ｘ１は、収納箱４Ａからスライド連結手段２２を介して二次的機能部１５Ａのみが出し入れ自在に設けられている点、電話機Ｘ１の形態がストレート型であり、操作部７Ａの筐体１Ａに本体操作ボタン３と共に電話機Ｘ１の操作ボタン８がそれぞれ配列されている点である。
【００３８】
したがって、前記筐体１Ａには、第１実施例の筐体１のように操作部７Ａを出し入れするための横長開口５は存在しない。横長開口６が一つである。なお、本体の操作ボタン３又は操作ボタン８は、操作部７Ａに選択的に配列することができる。
【００３９】
図１６乃至図１９を参照にして電話機Ｘ２の第３実施例を説明する。この第３実施例の電話機Ｘ２は、スライド連結手段２２Ａに、収納箱４Ｂの左右の内面に常時圧接する左右一対の付勢手段３８を設けた点である。
【００４０】
この付勢手段３８は、図１７及び図１８で示すように、収納箱４Ｂの左右の側壁部分に設けられ、かつ、側壁面にそれぞれ直交する貫通部分（貫通孔、貫通状切欠、貫通状溝など）３９及び該貫通部分３９に連通するバネ収納部分４０内を進退動するスライド片３８ａと、該スライド片３８ａの突出端部を筐体１の案内手段或いは案内部としての縦方向スリット２４に付勢する付勢バネ３８ｂとから成る。そして、前記スライド片３８ａの外端部は半球面状に形成され、一方、バネ収納部分４０内に位置する内端部にはフランジが周設されている。
【００４１】
第３実施例のように電話機Ｘ２に左右一対の付勢手段３８を加味すると、操作部７及び二次的機能部１５は、不用意に収納箱４Ｂから出ない（自然に落下しない）という利点がある。なお、第３実施例の付加的構成は、第２実施例に加味しても良い点は当然である。
【００４２】
図２０乃至図２４を参照にして電話機Ｘ３の第４実施例を説明する。この第４実施例の電話機Ｘ３は、（ａ）まず、操作部７及び二次的機能部１５がそれぞれ進退動する時（可動時）、操作部７又は二次的機能部１５と共に移動するスライド連結手段２２Ａに、収納箱４Ｃの左右の内面に常時圧接する左右一対の付勢手段３８をそれぞれ設けた点が異なる。この点、発明の一つの目的（操作部７及び二次的機能部１５が、不用意に収納箱４Ｃから出ないようにする）は、第３実施例と同一である。前記付勢手段３８は、第３実施例と同一なので、説明の便宜上、第３実施例と同一の符号を付し、重複する説明を省略する。
【００４３】
（ｂ）次に係止機能を有する断面多角形の嵌合孔４５を収納箱４Ｃの左右の側壁に一対形成したことである。左右一対の嵌合孔４５には、操作部７又は二次的機能部１５がそれぞれ収納される初期位置へ戻った時、図２３で示すように、スライド片３８ａの半球面状先端部がスライド係合する。したがって、嵌合孔４５は、操作部７及び二次的機能部１５をそれぞれ所定の収納位置に係止させる係止手段としての役割を果たす。このように、操作部７又は二次的機能部１５を収納位置で係止させる係止手段４５を収納箱４Ｃの側壁に設けた点が異なる。
【００４４】
（ｃ）さらに、収納箱４Ｃの側壁に嵌合孔４５と連通する貫通状案内部分４７を形成し、該案内部分４７に操作端４６ａが収納箱４Ｃの側壁の外壁面から突出するように押しボタン式操作片４６を組み込み、前記操作端４６ａをプッシュすると、スライド片３８ａの先端部が嵌合孔４５から外れる（解除する）と同時に、収納箱４Ｃに内装した押しバネ４８のバネ力により、操作部７又は二次的機能部１５が所定量外方向へ突出する点が異なる。このように前述した第３実施例の付勢手段３８の構成をそのまま応用すると、収納箱４Ｃの横長開口５，６からそれぞれ突出した操作部７又は二次的機能部１５を指で容易に摘みだすことができる。
【００４５】
ところで、収納箱４Ｃ内の適宜箇所には、図２１で示すように、前記押しバネ４８の一端部を支持するバネ支持片４９が適宜に設けられている。また、操作片４６の内端部は傾斜状の摺接面４６ｂを有する。もちろん、設計如何によっては、鍔部４６ｃ或いは係止突起を有する操作片４６を常時外方向に付勢する付勢バネを案内部分４７に内装しても良い。
【００４６】
したがって、この第４実施例の電話機Ｘ３の構成は、少なくとも一側上面に表示画面２を有する本体側の筐体１と、この筐体１の裏側に一体に設けられ、かつ、側壁に横長開口６を有する薄型収納箱４Ｃと、前記横長開口６を介して収納箱４Ｃに出し入れ自在に設けられた二次的機能部１５とを備え、前記二次的機能部１５は、収納箱４Ｃに内装したスライド連結手段２２Ａを介して反転可能に設けられ、また、スライド連結手段２２Ａには、収納箱４Ｃの内壁を圧接状態でスライドするスライド片３８ａを備えた付勢手段３８を設け、さらに、収納箱４Ｃには、二次的機能部１５の収納時、スライド片３８ａを収納箱４Ｃの嵌合孔４５から外すための操作片４６を、その操作端４６ａが露呈或いは突出するように収納箱４Ｃの側壁に組込み、前記操作端４６ａをプッシュすると、収納箱４Ｃに内装した押しバネ４８のバネ力により、二次的機能部１５が所要量外方向へ突出する。そして、前記と同一の構成は、図２１で示すように、操作部７に対しても設けられている。
【産業上の利用可能性】
【００４７】
本発明は、主に携帯電話機、デジタルカメラの製造・販売業界で利用される。
【図面の簡単な説明】
【００４８】
図１乃至図１１は本発明の第１実施例。図１２乃至図１５は本発明の第２実施例、図１６及び図１９は本発明の第３実施例、図２０及び図２４は本発明の第４実施例。
【図１】本発明の第１実施例を示す斜視図。
【図２】右側面図。
【図３】左側面図。
【図４】二次的機能部及び操作部を引き出した状態の斜視図。
【図５】図４に於いて、平面視からの概略説明図。
【図６】図５の６−６線概略断面図（制御部、記憶部等の電源回路を省略）。
【図７】図５の７−７線概略断面図（制御部、記憶部等の電源回路を省略）。
【図８】スライド連結手段の構造を示す概略断面説明図。
【図９】位置決めクリック機構の構造を示す概略断面説明図。
【図１０】カメラ用電源スイッチをＯＮした状態の「自分撮り」の概略説明図。
【図１１】図５に於いて、二次的機能部及び操作部をそれぞれ反転し、ゲームを楽しむ場合の概略説明図。
【図１２】本発明の第２実施例を示す平面視からの説明図（二次的機能部の収納時）。
【図１３】図１２を基準にした側面からの説明図。
【図１４】図１２に於いて、二次的機能部を引き出し時の説明図。
【図１５】図１４に於いて、二次的機能部を反転した時の説明図。
【図１６】本発明の第３実施例を示す図５と同様の概略説明図。
【図１７】異なる部分の概略斜視図。
【図１８】異なる部分の概略断面説明図。
【図１９】図１８に於いて、スライド連結手段が移動した場合の概略断面説明図。
【図２０】本発明の第４実施例を示す側面視からの説明図（二次的機能部等の収納時）。
【図２１】内部構造を示す概略説明図。
【図２２】図１７と同様の概略斜視図。
【図２３】要部の拡大概略断面説明図。
【図２４】図２３に於いて、スライド連結手段が移動した場合の概略断面説明図。
【符号の説明】
【００４９】
Ｘ，Ｘ１，Ｘ２，Ｘ３…電話機、Ｐ…、被写体、1，１Ａ…筐体、２…表示画面、３…本体操作ボタン、４，４Ａ，４Ｂ，４Ｃ…収納箱、４ａ…右側壁側の側壁、４ｂ…右側壁側の側壁、４ｃ，４ｄ…切欠部、５…操作部用横長開口、６…二次的機能部用横長開口、７，７Ａ…操作部、８…操作ボタン、９…第１スライド筐体、１０，１８…小突起、１５，１５Ａ…二次的機能部、１６…レンズ、１７…第２スライド筐体、１９…カメラ用電源スイッチボタン、２０…シャッターボタン、２１…カメラ操作ボタン、２２，２２Ａ…スライド連結手段、２２ａ…係合ピン、２３…中心軸、２６…クリックバネ、３０…被係合部、３１…係合部、３５…ゲーム用電源スイッチ、３６…操作ボタン、３７…、３８…付勢手段、３８ａ…スライド片、３８ｂ…付勢バネ、３９…貫通部分、４０…バネ収納部分、４５…嵌合孔、４６…操作片、４６ａ…操作端、４８…押しバネ、４９…支持片。
【図１】
2006325114.tif 000003
【図２】
2006325114.tif 000004
【図３】
2006325114.tif 000005
【図４】
2006325114.tif 000006
【図５】
2006325114.tif 000007
【図６】
2006325114.tif 000008
【図７】
2006325114.tif 000009
【図８】
2006325114.tif 000010
【図９】
2006325114.tif 000011
【図１０】
2006325114.tif 000012
【図１１】
2006325114.tif 000013
【図１２】
2006325114.tif 000014
【図１３】
2006325114.tif 000015
【図１４】
2006325114.tif 000016
【図１５】
2006325114.tif 000017
【図１６】
2006325114.tif 000018
【図１７】
2006325114.tif 000019
【図１８】
2006325114.tif 000020
【図１９】
2006325114.tif 000021
【図２０】
2006325114.tif 000022
【図２１】
2006325114.tif 000023
【図２２】
2006325114.tif 000024
【図２３】
2006325114.tif 000025
【図２４】
2006325114.tif 000026